(57)【要約】【課題】  背景発光によるコントラスト低減を防止することができるプラズマディスプレイ装置を提供することを課題とする。【解決手段】  第１の表示セルは第１及び第２の表示電極（Ｘｏ，Ｙｉ）を含み、第２の表示セルは第２の表示電極及び第３の表示電極（Ｙｉ，Ｘｅ）を含む。第１のアドレス期間（Ｔａ１）では、第２の表示電極及びアドレス電極（Ａｊ）間の放電に伴って第１及び第２の表示電極間で放電が生じ、かつ第２及び第３の表示電極間では放電が生じない。その後の第１の復帰期間（Ｔｔ１）では、第２の表示電極及びアドレス電極間に復帰パルスが供給される。その後の第２のアドレス期間（Ｔａ２）では、第２の表示電極及びアドレス電極間の放電に伴って第２及び第３の表示電極間で放電が生じ、かつ第１及び第２の表示電極間では放電が生じない。【選択図】        図５
2006258924.tif 000002
【特許請求の範囲】
【請求項１】
第１及び第２の表示電極を含む第１の表示セルと、
前記第２の表示電極及び第３の表示電極を含む第２の表示セルと、
前記第２の表示電極との間で放電を行うためのアドレス電極と、
前記第１の表示電極に電圧を供給するための第１の表示電極駆動回路と、
前記第２の表示電極に電圧を供給するための第２の表示電極駆動回路と、
前記第３の表示電極に電圧を供給するための第３の表示電極駆動回路と、
前記アドレス電極に電圧を供給するためのアドレス電極駆動回路とを有し、
第１のアドレス期間では、前記第２の表示電極にスキャンパルスが供給され、そのスキャンパルスに対応して前記アドレス電極にアドレスパルスが供給されたときには、前記第２の表示電極及び前記アドレス電極間の放電に伴って前記第１及び第２の表示電極間で放電が生じ、かつ前記第２及び第３の表示電極間では放電が生じず、
その後の第１の復帰期間では、前記第２の表示電極及び前記アドレス電極間に復帰パルスが供給され、前記第１のアドレス期間において前記第２の表示電極及び前記アドレス電極間で放電が生じたときには、前記第２の表示電極及び前記アドレス電極間でそれとは逆方向の放電が生じ、
その後の第２のアドレス期間では、前記第２の表示電極にスキャンパルスが供給され、そのスキャンパルスに対応して前記アドレス電極にアドレスパルスが供給されたときには、前記第２の表示電極及び前記アドレス電極間の放電に伴って前記第２及び第３の表示電極間で放電が生じ、かつ前記第１及び第２の表示電極間では放電が生じないプラズマディスプレイ装置。
【請求項２】
前記第１のアドレス期間の前に第１のリセット期間を有し、
前記第１のリセット期間では、前記第２の表示電極にリセット電圧が供給される請求項１記載のプラズマディスプレイ装置。
【請求項３】
１フレームは複数のサブフレームを有し、
各サブフレームは、前記第１のリセット期間、前記第１のアドレス期間、前記第１の復帰期間及び前記第２のアドレス期間を有し、
前記第１のリセット期間の前に消去期間を有し、
前記消去期間では、前記第１及び第２の表示電極間並びに前記第２及び第３の表示電極間に消去電圧が供給されることにより、前記第１及び第２の表示セルは前のサブフレームの前記第１及び第２のアドレス期間においてそれぞれ前記放電が生じたときのみ消去放電を行う請求項２記載のプラズマディスプレイ装置。
【請求項４】
前記第２のアドレス期間の後にサステイン期間を有し、
前記サステイン期間では、前記第１及び第２の表示電極間並びに前記第２及び第３の表示電極間にサステインパルスが供給され、
前記消去電圧は、前記サステインパルスよりもパルス幅が狭いパルス電圧である請求項３記載のプラズマディスプレイ装置。
【請求項５】
前記リセット電圧は、徐々に電圧が変化する電圧である請求項４記載のプラズマディスプレイ装置。
【請求項６】
前記消去電圧は、徐々に電圧が変化する電圧である請求項３記載のプラズマディスプレイ装置。
【請求項７】
１フレームは複数のサブフレームを有し、
各サブフレームは、前記第１のリセット期間、前記第１のアドレス期間、前記第１の復帰期間及び前記第２のアドレス期間を有し、
前記第１のリセット期間の前にリセット期間を有し、
前記リセット期間では、前記第１及び第２の表示電極間並びに前記第２及び第３の表示電極間にリセット電圧が供給されることにより、前記第１及び第２の表示セルは前のサブフレームの前記第１及び第２のアドレス期間において前記放電が生じたか否かにかかわらずにリセット放電を行う請求項２記載のプラズマディスプレイ装置。
【請求項８】
前記第１の復帰期間の後かつ前記第２のアドレス期間の前に第２のリセット期間を有し、
前記第２のリセット期間では、前記第２の表示電極にリセット電圧が供給される請求項２記載のプラズマディスプレイ装置。
【請求項９】
前記第２のアドレス期間の後に第２の復帰期間を有し、
前記第２の復帰期間では、前記第２の表示電極及び前記アドレス電極間に復帰パルスが供給され、前記第２のアドレス期間において前記第２の表示電極及び前記アドレス電極間で放電が生じたときには、前記第２の表示電極及び前記アドレス電極間でそれとは逆方向の放電が生じる請求項１記載のプラズマディスプレイ装置。
【請求項１０】
第１及び第２の表示電極を含む第１の表示セルと、
前記第２の表示電極及び第３の表示電極を含む第２の表示セルと、
前記第２の表示電極との間で放電を行うためのアドレス電極とを有するプラズマディスプレイ装置の駆動方法であって、
第１のアドレス期間では、前記第２の表示電極にスキャンパルスが供給され、そのスキャンパルスに対応して前記アドレス電極にアドレスパルスが供給されたときには、前記第２の表示電極及び前記アドレス電極間の放電に伴って前記第１及び第２の表示電極間で放電が生じ、かつ前記第２及び第３の表示電極間では放電が生じない第１のアドレス期間ステップと、
前記第１のアドレス期間後の第１の復帰期間では、前記第２の表示電極及び前記アドレス電極間に復帰パルスが供給され、前記第１のアドレス期間において前記第２の表示電極及び前記アドレス電極間で放電が生じたときには、前記第２の表示電極及び前記アドレス電極間でそれとは逆方向の放電が生じる第１の復帰期間ステップと、
前記第１の復帰期間後の第２のアドレス期間では、前記第２の表示電極にスキャンパルスが供給され、そのスキャンパルスに対応して前記アドレス電極にアドレスパルスが供給されたときには、前記第２の表示電極及び前記アドレス電極間の放電に伴って前記第２及び第３の表示電極間で放電が生じ、かつ前記第１及び第２の表示電極間では放電が生じない第２のアドレス期間ステップと
を有するプラズマディスプレイ装置の駆動方法。
【発明の詳細な説明】
【技術分野】
【０００１】
本発明は、プラズマディスプレイ装置及びその駆動方法に関する。
【背景技術】
【０００２】
共通電極型プラズマディスプレイパネルの駆動方法としては、下記の特許文献１及び２がある。特許文献１の図５では、リセットの前に、全ての表示セルにおいて、鈍波による対向放電でアドレス電極上の正電荷を減少させる。これにより、以降のアドレス期間で待機状態になる表示セルにおいて放電が起きなくなる。一方で、アドレス動作を行う表示セルにおいては、正の鈍波と負の鈍波の組み合わせでリセットを行い、アドレスができる状態にする。
【０００３】
【特許文献１】特開２００３−５６９９号公報
【特許文献２】特開２００２−１０８２７９号公報
【発明の開示】
【発明が解決しようとする課題】
【０００４】
特許文献１においては、正の鈍波と負の鈍波の組み合わせによるリセットが必須となるので、このリセット時に消灯表示セルが放電して背景発光が明るくなる、という課題がある。
【０００５】
本発明の目的は、リセット時において消灯表示セルの放電をなくすことにより、背景発光によるコントラスト低減を防止することができるプラズマディスプレイ装置及びその駆動方法を提供することである。
【課題を解決するための手段】
【０００６】
本発明の一観点によれば、第１及び第２の表示電極を含む第１の表示セルと、前記第２の表示電極及び第３の表示電極を含む第２の表示セルと、前記第２の表示電極との間で放電を行うためのアドレス電極と、前記第１の表示電極に電圧を供給するための第１の表示電極駆動回路と、前記第２の表示電極に電圧を供給するための第２の表示電極駆動回路と、前記第３の表示電極に電圧を供給するための第３の表示電極駆動回路と、前記アドレス電極に電圧を供給するためのアドレス電極駆動回路とを有するプラズマディスプレイ装置が提供される。第１のアドレス期間では、前記第２の表示電極にスキャンパルスが供給され、そのスキャンパルスに対応して前記アドレス電極にアドレスパルスが供給されたときには、前記第２の表示電極及び前記アドレス電極間の放電に伴って前記第１及び第２の表示電極間で放電が生じ、かつ前記第２及び第３の表示電極間では放電が生じない。その後の第１の復帰期間では、前記第２の表示電極及び前記アドレス電極間に復帰パルスが供給され、前記第１のアドレス期間において前記第２の表示電極及び前記アドレス電極間で放電が生じたときには、前記第２の表示電極及び前記アドレス電極間でそれとは逆方向の放電が生じる。その後の第２のアドレス期間では、前記第２の表示電極にスキャンパルスが供給され、そのスキャンパルスに対応して前記アドレス電極にアドレスパルスが供給されたときには、前記第２の表示電極及び前記アドレス電極間の放電に伴って前記第２及び第３の表示電極間で放電が生じ、かつ前記第１及び第２の表示電極間では放電が生じない。
【発明の効果】
【０００７】
第１及び第２の表示セルでは、第２の表示電極を共用する。第１のアドレス期間において第１の表示セルのアドレス選択の際に第２の表示電極及びアドレス電極間で放電が生じたときには、第１の復帰期間においてそれとは逆方向の放電を生じさせることができる。これにより、第２の表示セルをリセット状態に戻すことができ、第２のアドレス期間では、第２の表示セルにおいて適切なアドレス放電を行うことが可能になる。第１及び第２の表示セルのリセット時には、点灯表示セルのみを消去放電させることが可能になるので、背景発光が低減し、コントラストを向上させることができる。
【発明を実施するための最良の形態】
【０００８】
（第１の実施形態）
図１は、本発明の第１の実施形態によるプラズマディスプレイ装置の構成例を示す図である。制御回路２０は、Ｘ駆動回路１７、Ｙ駆動回路１８及びアドレス駆動回路１９を制御する。Ｘ駆動回路１７は、複数のＸ電極Ｘ１，Ｘ２，・・・に所定の電圧を供給する。以下、Ｘ電極Ｘ１，Ｘ２，・・・の各々を又はそれらの総称を、Ｘ電極Ｘｉといい、ｉは添え字を意味する。Ｙ駆動回路１８は、複数のＹ電極（スキャン電極）Ｙ１，Ｙ２，・・・に所定の電圧を供給する。以下、Ｙ電極Ｙ１，Ｙ２，・・・の各々を又はそれらの総称を、Ｙ電極Ｙｉといい、ｉは添え字を意味する。アドレス駆動回路１９は、複数のアドレス電極Ａ１，Ａ２，・・・に所定の電圧を供給する。以下、アドレス電極Ａ１，Ａ２，・・・の各々を又はそれらの総称を、アドレス電極Ａｊといい、ｊは添え字を意味する。
【０００９】
プラズマディスプレイパネル（表示部）１６では、Ｙ電極Ｙｉ及びＸ電極Ｘｉが水平方向に並列に延びる行を形成し、アドレス電極Ａｊが垂直方向に延びる列を形成する。Ｙ電極Ｙｉ及びＸ電極Ｘｉは、垂直方向に交互に配置される。Ｙ電極Ｙｉ及びアドレス電極Ａｊは、ｉ行ｊ列の２次元行列を形成する。表示セルＣｉｊは、Ｙ電極Ｙｉ及びアドレス電極Ａｊの交点並びにそれに対応して隣接するＸ電極Ｘｉにより形成される。この表示セルＣｉｊが画素に対応し、パネル１６は複数ラインからなる２次元画像を表示することができる。
【００１０】
図２（Ａ）は、図１の表示セルＣｉｊの断面構成例を示す図である。Ｘ電極Ｘｉ及びＹ電極Ｙｉは、前面ガラス基板１２１１上に形成されている。その上には、放電空間１２１７に対し絶縁するための誘電体層１２１２が被着されるとともに、更にその上にＭｇＯ（酸化マグネシウム）保護膜１２１３が被着されている。
【００１１】
一方、アドレス電極Ａｊは、前面ガラス基板１２１１と対向して配置された背面ガラス基板１２１４上に形成され、その上には誘電体層１２１５が被着され、更にその上に蛍光体が被着されている。ＭｇＯ保護膜１２１３と誘電体層１２１５との間の放電空間１２１７には、Ｎｅ＋Ｘｅペニングガス等が封入されている。
【００１２】
図２（Ｂ）は、交流駆動型プラズマディスプレイの容量Ｃｐを説明するための図である。容量Ｃａは、Ｘ電極ＸｉとＹ電極Ｙｉとの間の放電空間１２１７の容量である。容量Ｃｂは、Ｘ電極ＸｉとＹ電極Ｙｉとの間の誘電体層１２１２の容量である。容量Ｃｃは、Ｘ電極ＸｉとＹ電極Ｙｉとの間の前面ガラス基板１２１１の容量である。これらの容量Ｃａ，Ｃｂ，Ｃｃの合計によって、電極Ｘｉ及びＹｉ間の容量Ｃｐが決まる。
【００１３】
図２（Ｃ）は、交流駆動型プラズマディスプレイの発光を説明するための図である。リブ（隔壁）１２１６の内面には、赤、青、緑色の蛍光体１２１８がストライプ状に各色毎に配列、塗付されており、Ｘ電極Ｘｉ及びＹ電極Ｙｉ（放電電極対）の間の画素表示のための放電によって蛍光体１２１８を励起して光１２２１が生成されるようになっている。
【００１４】
図３は、Ｘ電極５００ｘ及びＹ電極５００ｙの構造例を示す図である。Ｘ電極５００ｘは、図１及び図２（Ａ）〜（Ｃ）のＸ電極Ｘｉに対応し、金属電極（バス電極）５０１ｘ及びその両側に接続される透明電極（サステイン電極）５０２ｘからなる。Ｙ電極５００ｙは、図１及び図２（Ａ）〜（Ｃ）のＹ電極Ｙｉに対応し、金属電極（バス電極）５０１ｙ及びその両側に接続される透明電極（サステイン電極）５０２ｙからなる。リブ５０３は、図２（Ｃ）のリブ１２１６に対応し、ボックス型リブを構成する。各表示セルＣｉｊは、リブ５０３により分離される。Ｘ電極５００ｘ及びＹ電極５００ｙは、交互に複数設けられる。透明電極５０２ｘ及び５０２ｙ間でサステイン放電が行われる。Ｙ電極５０２ｙは、その両側に隣接するＸ電極５０２ｘとの間で隣接する２つの表示セルを構成する。すなわち、Ｙ電極５０２ｙは、図においてその上側に隣接するＸ電極５０２ｘとの間で１つの表示セルを構成し、その下側に隣接するＸ電極５０２ｘとの間で他の１つの表示セルを構成する。それらの２つの表示セルは、互いに隣接する表示セルを構成する。
【００１５】
図４は、画像のフレームＦＤの概略構成例を示す図である。２次元画像データは、フレーム単位でパネル１６に表示される。各フレームＦＤは、第１のサブフレームＳＦ１、第２のサブフレームＳＦ２、・・・、第ｎのサブフレームＳＦｎにより形成される。このｎは、例えば１０であり、階調ビット数に相当する。サブフレームＳＦ１，ＳＦ２等の各々を又はそれらの総称を、以下、サブフレームＳＦという。
【００１６】
各サブフレームＳＦは、リセット期間Ｔｒ、アドレス期間Ｔａ及びサステイン（維持放電）期間Ｔｓを有する。リセット期間Ｔｒでは、表示セルの初期化を行う。アドレス期間Ｔａでは、アドレス電極Ａｊ及びＹ電極Ｙｉ間のアドレス放電により各表示セルの発光又は非発光を選択することができる。具体的には、Ｙ電極Ｙ１，Ｙ２，Ｙ３，Ｙ４，・・・等に順次スキャンパルスを印加し、そのスキャンパルスに対応してアドレス電極Ａｊにアドレスパルスを印加することにより、所望の表示セルの発光又は非発光を選択することができる。サステイン期間Ｔｓでは、発光が選択された表示セルのＸ電極Ｘｉ及びＹ電極Ｙｉ間でサステイン放電を行い、発光を行う。各サブフレームＳＦでは、Ｘ電極Ｘｉ及びＹ電極Ｙｉ間のサステインパルスによる発光回数（サステイン期間Ｔｓの長さ）が異なる。これにより、階調値を決めることができる。
【００１７】
図５は、本実施形態によるプラズマディスプレイ装置の駆動波形例を示すタイミングチャートである。図の上から順に、アドレス電極Ａｊの電圧波形、奇数番目のＸ電極（第１の表示電極）Ｘｏの電圧波形、Ｙ電極（第２の表示電極）Ｙｉの電圧波形、偶数番目のＸ電極（第３の表示電極）Ｘｅの電圧波形を示す。
【００１８】
Ｘ電極Ｘｏは、図１の奇数番目のＸ電極Ｘ１，Ｘ３，Ｘ５等の共通電圧波形を示す。Ｘ電極Ｘｅは、図１の偶数番目のＸ電極Ｘ２，Ｘ４，Ｘ６等の共通電圧波形を示す。Ｙ電極Ｙｉは、全てのＹ電極Ｙｉの共通電圧波形を示すが、アドレス期間Ｔａ１及びＴａ２におけるスキャンパルスのタイミングのみが異なる。すなわち、Ｙ駆動回路１８は、アドレス期間Ｔａ１及びＴａ２において、複数のＹ電極Ｙ１，Ｙ２，Ｙ３，Ｙ４等に順次スキャンパルスを供給する。アドレス駆動回路１９は、そのスキャンパルスに対応してアドレス電極Ａｊにアドレスパルスを印加すれば、パネル１６の各画素の発光（点灯）を選択することができ、アドレスパルスを印加しなければ非発光（消灯）を選択することができる。
【００１９】
奇数ラインＬｏは、奇数Ｘ電極Ｘｏ及びその下のＹ電極Ｙｉ間の表示セルにより構成される。偶数ラインＬｅは、Ｙ電極Ｙｉ及びその下の偶数Ｘ電極Ｘｅ間の表示セルにより構成される。奇数ラインＬｏは第１のアドレス期間Ｔａ１においてアドレス選択することができ、偶数ラインＬｅは第２のアドレス期間Ｔａ２においてアドレス選択することができる。
【００２０】
奇数ラインＬｏにおいて、各サブフレームＳＦは、順に、消去期間Ｔｅ、第１のリセット期間Ｔｒ、第１のアドレス期間Ｔａ１、サステイン期間Ｔｂ、第２の退避期間Ｔｃ２、第２の復帰期間Ｔｔ２、及びサステイン期間Ｔｓを有する。偶数ラインＬｅにおいて、各サブフレームＳＦは、順に、消去期間Ｔｅ、第１のリセット期間Ｔｒ、第１の退避期間Ｔｃ１、第１の復帰期間Ｔｔ１、第２のリセット期間Ｔｄ、第２のアドレス期間Ｔａ２及びサステイン期間Ｔｓを有する。
【００２１】
奇数ラインＬｏ及び偶数ラインＬｅにおいて、消去期間Ｔｅ、第１のリセット期間Ｔｒ及びサステイン期間Ｔｓは共通である。第１のアドレス期間Ｔａ１は第１の退避期間Ｔｃ１に重なり、サステイン期間Ｔｂは第１の復帰期間Ｔｔ１に重なり、第２の退避期間Ｔｃ２は第２のリセット期間Ｔｄ及び第２のアドレス期間Ｔａ２に重なる。第２の復帰期間Ｔｔ２は、偶数ラインＬｅのサステイン期間Ｔｓに重なる。
【００２２】
以下、サブフレームＳＦの動作を説明する。消去期間Ｔｅでは、Ｘ電極Ｘｏ及びＹ電極Ｙｉ間並びにＹ電極Ｙｉ及びＸ電極Ｘｅ間に消去電圧（消去パルス）が供給されることにより、奇数ラインＬｏ及び偶数ラインＬｅの表示セルは前のサブフレームＳＦの第１及び第２のアドレス期間Ｔａ１，Ｔａ２においてそれぞれアドレス放電が生じたときのみ消去放電を行う。その詳細は、後に説明する。
【００２３】
次に、第１のリセット期間Ｔｒでは、Ｙ電極Ｙｉに負のリセット電圧が供給される。上記の消去期間Ｔｅで消去放電が行われたときのみ、第１のリセット期間Ｔｒにおいて放電が行われ、表示セルがリセットされる。リセット電圧は、徐々に電圧が変化する電圧である。Ｙ電極Ｙｉには、電極Ａｊ，Ｘｏ，Ｘｅに対して負の鈍波パルスが印加される。消去期間Ｔｅで表示セルを完全にリセットすることは困難であるため、第１のリセット期間Ｔｒにおいて完全にリセットする。
【００２４】
次に、第１のアドレス期間Ｔａ１では、Ｙ電極Ｙｉにスキャンパルスが供給され、そのスキャンパルスに対応してアドレス電極Ａｊにアドレスパルスが供給されたときには、Ｙ電極Ｙｉ及びアドレス電極Ａｊ間の放電に伴ってＹ電極Ｙｉ及びＸ電極Ｘｏ間で放電が生じ、かつＹ電極Ｙｉ及びＸ電極Ｘｅ間では放電が生じない。これにより、奇数ラインＬｏの表示セルの発光又は非発光を選択することができる。
【００２５】
第１のアドレス期間Ｔａ１では、Ｙ電極Ｙｉにスキャンパルスを印加し、そのスキャンパルスに対応してアドレス電極Ａｊにアドレスパルスを印加することにより、Ｙ電極Ｙｉ及びアドレス電極Ａｊ間に対向アドレス放電が生じ、所望の表示セルの発光又は非発光を選択することができる。アドレスパルスを印加しなければ、非発光を選択することができる。第１のアドレス期間Ｔａ１では、Ｘ電極Ｘｏは正電位でありＹ電極Ｙｉは負電位であるので、上記の対向アドレス放電を種火としてＸ電極Ｘｏ及びＹ電極Ｙｉ間で放電が生じ、Ｘ電極Ｘｏ及びＹ電極Ｙｉに壁電荷が生成される。これに対し、この第１のアドレス期間Ｔａ１において、偶数Ｘ電極Ｘｅは０Ｖであるので偶数Ｘ電極Ｘｅ及びＹ電極Ｙｉ間では放電が行われず、発光又は非発光のアドレス選択は行われない。このように、奇数ラインＬｏが第１のアドレス期間Ｔａ１の間、偶数ラインＬｅはアドレス選択が行われずに第１の退避期間Ｔｃ１となる。
【００２６】
次に、第１の復帰期間Ｔｔ１では、Ｙ電極Ｙｉ及びアドレス電極Ａｊ間に復帰パルスが供給され、第１のアドレス期間Ｔａ１においてＹ電極Ｙｉ及びアドレス電極Ａｊ間で対向アドレス放電が生じたときには、Ｙ電極Ｙｉ及びアドレス電極Ａｊ間でそれとは逆方向の放電が生じる。
【００２７】
第１のアドレス期間Ｔａ１において対向アドレス放電が生じないときには、偶数ラインＬｅの表示セルはリセット状態を維持することができる。しかし、第１のアドレス期間Ｔａ１において対向アドレス放電が生じたときには、偶数ラインＬｅの表示セルはリセット状態が破壊されてしまう。そのため、第１の復帰期間Ｔｔ１において、偶数ラインＬｅの表示セルをリセット状態に戻す。
【００２８】
第１の復帰期間Ｔｔ１では、上記の対向アドレス放電とは逆極性の電圧をＹ電極Ｙｉ及びアドレス電極Ａｊ間に印加する。すなわち、Ｙ電極Ｙｉには、アドレス電極Ａｊに対して正となる復帰パルスを印加する。これにより、第１の復帰期間Ｔｔ１では、第１のアドレス期間Ｔａ１における対向放電とは逆方向の対向放電を行わせることができる。これにより、偶数ラインＬｅの表示セルをリセット状態に戻すことができ、次の第２のアドレス期間Ｔａ２においてアドレス選択が可能になる。なお、第１のアドレス期間Ｔａ１において対向放電が行われていないときには、第１の復帰期間Ｔｔ１においても対向放電が生じない。
【００２９】
サステイン期間Ｔｂでは、Ｙ電極Ｙｉ及びＸ電極Ｘｏ間にサステインパルスが印加されるので、第１のアドレス期間Ｔａ１において発光が選択されているときには、Ｙ電極Ｙｉ及びＸ電極Ｘｏ間でサステイン放電が生じ、奇数ラインＬｏの表示セルは発光する。なお、この時、Ｘ電極Ｘｅには正電位が印加されているので、Ｘ電極Ｘｅ及びＹ電極Ｙｉ間では放電が生じない。
【００３０】
次に、第２のリセット期間Ｔｄでは、Ｙ電極Ｙｉにリセット電圧が供給される。上記の第１の復帰期間Ｔｔ１で放電が行われたときのみ、第２のリセット期間Ｔｄにおいて放電が行われ、表示セルがリセットされる。リセット電圧は、徐々に電圧が変化する電圧である。第２のリセット期間Ｔｄの電圧は、第１のリセット期間Ｔｒと同じ電圧である。第１の復帰期間Ｔｔ１で表示セルを完全にリセット状態に戻すことは困難であるため、第２のリセット期間Ｔｄにおいて完全にリセット状態に戻す。
【００３１】
次に、第２のアドレス期間Ｔａ２では、Ｙ電極Ｙｉにスキャンパルスが供給され、そのスキャンパルスに対応してアドレス電極Ａｊにアドレスパルスが供給されたときには、Ｙ電極Ｙｉ及びアドレス電極Ａｊ間の放電に伴ってＹ電極Ｙｉ及びＸ電極Ｘｅ間で放電が生じ、かつＹ電極Ｙｉ及びＸ電極Ｘｏ間では放電が生じない。これにより、第１のアドレス期間Ｔａ１と同様に、偶数ラインＬｅの表示セルの発光又は非発光を選択することができる。
【００３２】
第２のアドレス期間Ｔａ２では、Ｙ電極Ｙｉにスキャンパルスを印加し、そのスキャンパルスに対応してアドレス電極Ａｊにアドレスパルスを印加することにより、Ｙ電極Ｙｉ及びアドレス電極Ａｊ間に対向アドレス放電が生じ、所望の表示セルの発光又は非発光を選択することができる。アドレスパルスを印加しなければ、非発光を選択することができる。第２のアドレス期間Ｔａ２では、Ｘ電極Ｘｅは正電位でありＹ電極Ｙｉは負電位であるので、上記の対向アドレス放電を種火としてＸ電極Ｘｅ及びＹ電極Ｙｉ間で放電が生じ、Ｘ電極Ｘｅ及びＹ電極Ｙｉに壁電荷が生成される。これに対し、この第２のアドレス期間Ｔａ２において、Ｘ電極Ｘｏは０ＶであるのでＸ電極Ｘｏ及びＹ電極Ｙｉ間では放電が行われず、発光又は非発光のアドレス選択は行われない。このように、偶数ラインＬｅの第２のアドレス期間Ｔａ２の間、奇数ラインＬｏはアドレス選択が行われずに第２の退避期間Ｔｃ２となる。
【００３３】
次に、第２の復帰期間Ｔｔ２では、第２のアドレス期間Ｔａ２の対向アドレス放電とは逆極性の電圧をＹ電極Ｙｉ及びアドレス電極Ａｊ間に印加する。すなわち、Ｙ電極Ｙｉには、アドレス電極Ａｊに対して正となる復帰パルスを印加する。これにより、第２の復帰期間Ｔｔ２では、第２のアドレス期間Ｔａ２における対向放電とは逆方向の対向放電を行わせることができる。これにより、奇数ラインＬｏの表示セルをアドレス選択した状態に戻すことができる。なお、第２のアドレス期間Ｔａ２において対向放電が行われていないときには、第２の復帰期間Ｔｔ２においても対向放電が生じない。Ｙ電極Ｙｉにおいて、復帰期間Ｔｔ１及びＴｔ２の復帰パルスは、サステイン期間Ｔｓのサステインパルスよりも電位が高い。
【００３４】
第２の復帰期間Ｔｔ２は、偶数ラインＬｅのサステイン期間Ｔｓに重なる。そのサステイン期間Ｔｓでは、Ｙ電極Ｙｉ及びＸ電極Ｘｅ間にサステインパルスが印加されるので、第２のアドレス期間Ｔａ２において発光が選択されているときには、Ｙ電極Ｙｉ及びＸ電極Ｘｅ間でサステイン放電が生じ、偶数ラインＬｅの表示セルは発光する。なお、第２の復帰期間Ｔｔ２では、Ｘ電極Ｘｏには正電位が印加されているので、Ｘ電極Ｘｏ及びＹ電極Ｙｉ間では放電が生じない。
【００３５】
次に、サステイン期間Ｔｓでは、Ｙ電極Ｙｉ及びＸ電極Ｘｏ間並びにＹ電極Ｙｉ及びＸ電極Ｘｅ間にサステインパルスが供給される。奇数ラインＬｏの表示セルは、第１のアドレス期間Ｔａ１にて発光が選択されているときには、Ｙ電極Ｙｉ及びＸ電極Ｘｏに壁電荷が生成されており、サステイン期間ＴｓにおいてＹ電極Ｙｉ及びＸ電極Ｘｏ間でサステイン放電が生じて発光する。また、偶数ラインＬｅの表示セルは、第２のアドレス期間Ｔａ２にて発光が選択されているときには、Ｙ電極Ｙｉ及びＸ電極Ｘｅに壁電荷が生成されており、サステイン期間ＴｓにおいてＹ電極Ｙｉ及びＸ電極Ｘｅ間でサステイン放電が生じて発光する。
【００３６】
以上のサブフレームＳＦの動作を繰り返し行う。消去期間Ｔｅでは、Ｘ電極Ｘｏ及びＹ電極Ｙｉ間並びにＹ電極Ｙｉ及びＸ電極Ｘｅ間に消去電圧が供給される。消去電圧は、上記のサステイン期間Ｔｓのサステインパルスよりもパルス幅が狭いパルス電圧である。したがって、奇数ラインＬｏの表示セルでは、前のサブフレームＳＦの第１のアドレス期間Ｔａ１において発光が選択されて対向アドレス放電が生じたときのみＸ電極Ｘｏ及びＹ電極Ｙｉ間で消去放電が行われ、壁電荷が消去される。対向アドレス放電が生じていないときには、Ｘ電極Ｘｏ及びＹ電極Ｙｉ間で消去放電が行われない。
【００３７】
また、偶数ラインＬｅの表示セルでは、前のサブフレームＳＦの第２のアドレス期間Ｔａ２において発光が選択されて対向アドレス放電が生じたときのみＸ電極Ｘｅ及びＹ電極Ｙｉ間で消去放電が行われ、壁電荷が消去される。対向アドレス放電が生じていないときには、Ｘ電極Ｘｅ及びＹ電極Ｙｉ間で消去放電が行われない。
【００３８】
図７は、全表示セルをリセット放電させるリセット期間Ｔｅ１を有するサブフレームＳＦ１を示す駆動波形例を示すタイミングチャートである。例えば、サブフレームＳＦ２〜ＳＦ１０は図５のサブフレームＳＦの駆動波形と同じである。サブフレームＳＦ１は、図５のサブフレームＳＦに対して、消去期間Ｔｅの代わりにリセット期間Ｔｅ１を設けた点が異なり、その他は同じである。消去期間Ｔｅは、点灯表示セルのみを消去放電し、期間Ｔｅで消去放電したセルのみがリセット期間Ｔｒでリセット放電する。これに対し、リセット期間Ｔｅ１は、全表示セルをリセット放電し、続くリセット期間Ｔｒでも全セル放電する。
【００３９】
すなわち、リセット期間Ｔｅ１では、Ｘ電極Ｘｅ及びＹ電極Ｙｉ間並びにＹ電極Ｙｉ及びＸ電極Ｘｅ間にリセット電圧が供給されることにより、奇数ラインＬｏ及び偶数ラインＬｅの表示セルは前のサブフレームの第１及び第２のアドレス期間Ｔａ１，Ｔａ２において対向アドレス放電が生じたか否かにかかわらずにリセット放電を行う。リセット電圧は、徐々に電圧が変化する電圧であり、ピーク電圧は高い（例えば３００〜４００Ｖ）。
【００４０】
図５の駆動波形は、壁電荷を略消去した状態を非点灯表示セルの状態として設計している。通常のサブフレームＳＦは図５の波形を用い、１フレームＦＤ中の最低１サブフレームＳＦはリセット期間Ｔｅ１を設ける。リセット期間Ｔｅ１ではＹ電極Ｙｉに正の鈍波電圧を印加し、続く第１のリセット期間Ｔｒでは負の鈍波電圧を供給し、その組み合わせにより全表示セルについて完全なリセットを行う。本実施形態では、全表示セルリセットがフレームＦＤの先頭サブフレームＳＦ１にある場合を例に説明する。
【００４１】
まず、先頭のサブフレームＳＦ１では、リセット期間Ｔｅ１及び第１のリセット期間Ｔｒで全ての表示セルを非点灯状態にリセットする。ここで、非点灯状態とは、サステインパルスを印加しても放電が起きない状態のことである。今、非点灯状態は壁電荷が略消去された状態になっている。
【００４２】
この状態で第１のアドレス期間Ｔａ１に入る。点灯／非点灯の選択をする表示セルをアドレス側セル、待機状態になる表示セルを待機側セルと呼ぶことにする。Ｙ電極Ｙｉを共有する関係にある２つの表示セルが１組となる。第１のアドレス期間Ｔａ１において、組みとなる表示セルの内、一方がアドレス側セルとなり、他方が待機側セルとなる。スキャンパルスはＹ電極Ｙｉに順に印加され、スキャンパルスが印加されたタイミングでアドレス電極Ａｊの電位が高電位であるとアドレス側セルでアドレス放電が起きる。アドレス放電はアドレス電極ＡｊとＹ電極Ｙｉ間で対向放電が起き、それに続いて主電極間（電極Ｘｏ及びＹｉ間）で放電が起きる放電である。このとき、アドレス電極ＡｊとＹ電極Ｙｉ間の電位関係は待機側セルでも等しいので、アドレス側セルで対向放電が起きれば、待機側セルでも対向放電が起きる。但し、待機側セルでは、主電極間（電極Ｘｅ及びＹｉ間）放電が起きないように、主電極間の電圧を低くしておく。
【００４３】
第１のアドレス期間Ｔａ１で全ラインの半分の奇数ラインＬｏのアドレス選択が終わった後、第２のアドレス期間Ｔａ２で残り半分の偶数ラインＬｅのアドレス選択を行う。すなわち、第１及び第２のアドレス期間Ｔａ１，Ｔａ２で待機側セルとアドレス側セルが入れ替わる。第１のアドレス期間Ｔａ１で待機状態中に対向放電が起きなかった表示セルはリセット状態を保持しているので、そのまま第２のアドレス期間Ｔａ２に入ればよい。しかし、第１のアドレス期間Ｔａ１で対向放電が起きた待機側セルはリセット状態から変わってしまっているので、第２のアドレス期間Ｔａ２に入る前にもう一度リセットする必要がある。そのために、第１の復帰期間Ｔｔ１で復帰パルスにより復帰させ、第２のリセット期間Ｔｄで負の鈍波によりリセットを行う。対向放電を起こした表示セルは復帰パルスによりもう一度対向放電を起こし、アドレス電極Ａｊ側に正の壁電荷をため、続く負の鈍波によりリセットを行う。この鈍波によるリセットは、アドレス電極Ａｊ及びＹ電極Ｙｉの対向の微弱放電であることも特徴である。そして、第２のアドレス期間Ｔａ２においてアドレス選択を行う。第１のアドレス期間Ｔａ１において放電を起こさなかった待機側セルはこの復帰パルス及び負の鈍波で放電を起こさない。
【００４４】
第１のアドレス期間Ｔａ１でアドレス放電を起こしたアドレス側セルは、復帰パルスの第１の復帰期間Ｔｔ１に対応するサステイン期間Ｔｂでサステイン放電を２度起こし、負の鈍波の第２のリセット期間Ｔｄに対応する第２の退避期間Ｔｃ２では放電しない。そして、第２のアドレス期間Ｔａ２ではＹ電極Ｙｉ上に正の電荷が溜まっているので、スキャンパルスとアドレスパルスが同時に印加されても放電は起こさない。一方、第１のアドレス期間Ｔａ１でアドレス放電を起こさなかったアドレス側セルは復帰パルスと負の鈍波で放電を起こさず、リセット状態のまま、第２のアドレス期間Ｔａ２で待機側セルとなる。この場合、アドレス側セルでアドレス放電が起きれば、待機側セルでも対向放電が起きる。この対向放電で壁電荷が溜まるので、その壁電荷でサステイン放電が起きないようにサステイン期間Ｔｓの直前の第２の復帰期間Ｔｔ２の復帰パルスにより、壁電荷を減少させる。
【００４５】
図６は、サブフレームＳＦ内の各期間での放電の有無を示す図である。○印は放電ありを示し、×印は放電なしを示す。以下、８個のパターンを説明する。
【００４６】
（１）第１のアドレス期間Ｔａ１においてアドレス放電がなく、第２のアドレス期間Ｔａ２においてアドレス放電がない場合である。その場合、奇数ラインＬｏの表示セルは、第１のアドレス期間Ｔａ１、第１の復帰期間Ｔｔ１、第２のリセット期間Ｔｄ、第２のアドレス期間Ｔａ２、第２の復帰期間Ｔｔ２及びサステイン期間Ｔｓですべて放電しない。
【００４７】
（２）第１のアドレス期間Ｔａ１においてアドレス放電がなく、第２のアドレス期間Ｔａ２においてアドレス放電がある場合である。その場合、奇数ラインＬｏの表示セルは、第１のアドレス期間Ｔａ１、第１の復帰期間Ｔｔ１及び第２のリセット期間Ｔｄで放電がなく、第２のアドレス期間Ｔａ２及び第２の復帰期間Ｔｔ２で放電があり、サステイン期間Ｔｓで放電がない。
【００４８】
（３）第１のアドレス期間Ｔａ１においてアドレス放電があり、第２のアドレス期間Ｔａ２においてアドレス放電がない場合である。その場合、奇数ラインＬｏの表示セルは、第１のアドレス期間Ｔａ１及び第１の復帰期間Ｔｔ１で放電があり、第２のリセット期間Ｔｄ、第２のアドレス期間Ｔａ２及び第２の復帰期間Ｔｔ２で放電がなく、サステイン期間Ｔｓで放電がある。
【００４９】
（４）第１のアドレス期間Ｔａ１においてアドレス放電があり、第２のアドレス期間Ｔａ２においてアドレス放電がある場合である。その場合、奇数ラインＬｏの表示セルは、第１のアドレス期間Ｔａ１及び第１の復帰期間Ｔｔ１で放電があり、第２のリセット期間Ｔｄ、第２のアドレス期間Ｔａ２及び復帰期間Ｔｔ２で放電がなく、サステイン期間Ｔｓで放電がある。奇数ラインＬｏの表示セルは、第１のアドレス期間Ｔａ２でアドレス放電が生じ、壁電荷が生成されているので、第２のアドレス期間Ｔａ２及び第２の復帰期間Ｔｔ２で放電が生じない。
【００５０】
（５）第１のアドレス期間Ｔａ１においてアドレス放電がなく、第２のアドレス期間Ｔａ２においてアドレス放電がない場合である。その場合、偶数ラインＬｅの表示セルは、第１のアドレス期間Ｔａ１、第１の復帰期間Ｔｔ１、第２のリセット期間Ｔｄ、第２のアドレス期間Ｔａ２、第２の復帰期間Ｔｔ２及びサステイン期間Ｔｓですべて放電しない。
【００５１】
（６）第１のアドレス期間Ｔａ１においてアドレス放電がなく、第２のアドレス期間Ｔａ２においてアドレス放電がある場合である。その場合、偶数ラインＬｅの表示セルは、第１のアドレス期間Ｔａ１、第１の復帰期間Ｔｔ１及び第２のリセット期間Ｔｄで放電がなく、第２のアドレス期間Ｔａ２及び第２の復帰期間Ｔｔ２で放電があり、サステイン期間Ｔｓで放電がある。
【００５２】
（７）第１のアドレス期間Ｔａ１においてアドレス放電があり、第２のアドレス期間Ｔａ２においてアドレス放電がない場合である。その場合、偶数ラインＬｅの表示セルは、第１のアドレス期間Ｔａ１、第１の復帰期間Ｔｔ１及び第２のリセット期間Ｔｄで放電があり、第２のアドレス期間Ｔａ２及び第２の復帰期間Ｔｔ２で放電がなく、サステイン期間Ｔｓで放電がない。
【００５３】
（８）第１のアドレス期間Ｔａ１においてアドレス放電があり、第２のアドレス期間Ｔａ２においてアドレス放電がある場合である。その場合、偶数ラインＬｅの表示セルは、第１のアドレス期間Ｔａ１、第１の復帰期間Ｔｔ１、第２のリセット期間Ｔｄ、第２のアドレス期間Ｔａ２、第２の復帰期間Ｔｔ２及びサステイン期間Ｔｓですべて放電する。
【００５４】
次に、図７において、先頭サブフレームＳＦ１以外のサブフレームＳＦ２〜ＳＦ１０での放電状態について説明する。前のサブフレームＳＦのサステイン期間Ｔｓで非点灯状態であった表示セルはリセット状態を保っているので、先頭の消去期間Ｔｅ及び第１のリセット期間Ｔｒでは放電を起こさない。一方、前のサブフレームＳＦのサステイン期間Ｔｓで点灯状態であった表示セルは、消去期間Ｔｅの消去パルスによって略壁電荷が消去された後に第１のリセット期間Ｔｓでリセット放電を起こす。いずれにせよ全てのセルが第１のリセット期間Ｔｒ後、リセット状態になるので、後は先頭サブフレームＳＦ１と同じ過程となり、図６と放電の様相は同じである。
【００５５】
本実施形態では、隣接する２つの表示セルが同じＹ電極Ｙｉを共用する。第１のアドレス期間Ｔａ１において奇数ラインＬｏの表示セルのアドレス選択の際にＹ電極Ｙｉ及びアドレス電極Ａｊ間で放電が生じたときには、第１の復帰期間Ｔｔ１においてそれとは逆方向の放電を生じさせることができる。これにより、偶数ラインＬｅの表示セルをリセット状態に戻すことができ、第２のアドレス期間Ｔａ２では、偶数ラインＬｅの表示セルにおいて適切なアドレス放電を行うことが可能になる。消去期間Ｔｅでは、前のサブフレームＳＦの点灯表示セルのみを消去放電させるので、全サブフレームＳＦにおいて全表示セルを消去放電させる場合に比べて、背景発光が低減し、コントラストを向上させることができる。
【００５６】
（第２の実施形態）
図８は、本発明の第２の実施形態によるプラズマディスプレイ装置の駆動波形例を示すタイミングチャートであり、図５に対して、消去期間Ｔｅの代わりに消去期間Ｔｅ２を設けた点が異なり、その他の点は同じである。
【００５７】
図５の消去期間Ｔｅでは、細幅消去パルスにより壁電荷を略消去したが、図８の消去期間Ｔｅ２では、鈍波の消去電圧により壁電荷を略消去する。鈍波の消去電圧は、徐々に電圧が変化する電圧である。この場合も、消去期間Ｔｅ２では、前のサブフレームＳＦのサステイン期間Ｔｓにおいて点灯していた表示セルのみ消去放電が行われる。
【００５８】
図８の消去期間Ｔｅ２の鈍波パルスは、図７のリセット期間Ｔｅ１の鈍波パルスと形状が似ているが、ピーク電圧値が異なる。図８の消去期間Ｔｅ２の鈍波パルスは、ピーク電圧値が例えば１５０〜２００Ｖの比較的低電圧であるため、前のサブフレームＳＦの点灯表示セルのみを消去放電させることができる。これに対し、図７のリセット期間Ｔｅ１の鈍波パルスは、ピーク電圧値が例えば３００〜４００Ｖの比較的高電圧であるため、前のサブフレームＳＦにおいて点灯表示セルであるか否かにかかわらず全表示セルをリセット放電させることができる。
【００５９】
以上のように、第１及び第２の実施形態のプラズマディスプレイ装置は、隣接する２つの表示セルを第１及び第２の表示セルとすると、図５において、第１の表示セルは奇数Ｘ電極（第１の表示電極）Ｘｏ及びその下のＹ電極（第２の表示電極）Ｙｉを含み、第２の表示セルは同じＹ電極Ｙｉ及びその下の偶数Ｘ電極（第３の表示電極）Ｘｅを含む。第１及び第２の表示セルは、同じＹ電極Ｙｉを共用する。アドレス電極Ａｊは、Ｙ電極Ｙｉとの間でアドレス放電を行うための電極である。
【００６０】
Ｙ電極Ｙｉが延びる方向と垂直方向に並んで隣接する２つの表示セルのＹ電極Ｙｉが電気的に接続されている。隣接する２つの表示セルのうち、一方の表示セルをアドレス選択する際には他方の表示セルは待機状態にしておき、待機状態中に隣接セルのアドレス放電に伴って当該表示セルの対向放電が起きた場合は、待機状態終了後、第１の復帰期間Ｔｔ１で対向放電により壁電荷状態を元に戻す。
【００６１】
背景発光を低減するために、上記の特許文献１のリセットの正の鈍波を省略し、前のサブフレームＳＦで点灯していた表示セルのみリセットを行う。しかし、リセット期間の前に全表示セルで壁電荷の状態を変化させてしまうと、それを元に戻すために、点灯していなかった表示セルに対しても、正の鈍波と負の鈍波の組み合わせによるリセットが必須となり、背景発光の低減ができなくなる。
【００６２】
隣接する２つの表示セルでＹ電極Ｙｉを共用する場合でも、リセット期間の前に全表示セルでアドレス電極Ａｊ上の壁電荷を減らすようなことを行わず、消灯表示セルに関しては消去期間及びリセット期間で放電を行わず、そのままの状態でアドレス選択を行う（又は待機する）ようにすれば背景発光を低減できる。しかし、このようにすると、待機している時にＹ電極Ｙｉを共有する隣接セルがアドレス放電をした場合、待機表示セルも対向放電してしまう。したがって、待機状態が終了した後に、対向放電した表示セルを復帰期間Ｔｔ１で元の非点灯表示セルの状態に戻す復帰放電を起こしてやればよい。この復帰放電では、非点灯状態の表示セルの状態を動かしてはならないが、待機状態において対向放電が起きた表示セルと非点灯状態の表示セルとでは、アドレス電極Ａｊ及びＹ電極Ｙｉ間の壁電圧に差があるので、復帰放電はアドレス電極Ａｊ及びＹ電極Ｙｉ間の対向放電で行うことが望ましい。これにより、背景発光を低減し、コントラストの向上を図ることができる。
【００６３】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【００６４】
本発明の実施形態は、例えば以下のように種々の適用が可能である。
【００６５】
（付記１）
第１及び第２の表示電極を含む第１の表示セルと、
前記第２の表示電極及び第３の表示電極を含む第２の表示セルと、
前記第２の表示電極との間で放電を行うためのアドレス電極と、
前記第１の表示電極に電圧を供給するための第１の表示電極駆動回路と、
前記第２の表示電極に電圧を供給するための第２の表示電極駆動回路と、
前記第３の表示電極に電圧を供給するための第３の表示電極駆動回路と、
前記アドレス電極に電圧を供給するためのアドレス電極駆動回路とを有し、
第１のアドレス期間では、前記第２の表示電極にスキャンパルスが供給され、そのスキャンパルスに対応して前記アドレス電極にアドレスパルスが供給されたときには、前記第２の表示電極及び前記アドレス電極間の放電に伴って前記第１及び第２の表示電極間で放電が生じ、かつ前記第２及び第３の表示電極間では放電が生じず、
その後の第１の復帰期間では、前記第２の表示電極及び前記アドレス電極間に復帰パルスが供給され、前記第１のアドレス期間において前記第２の表示電極及び前記アドレス電極間で放電が生じたときには、前記第２の表示電極及び前記アドレス電極間でそれとは逆方向の放電が生じ、
その後の第２のアドレス期間では、前記第２の表示電極にスキャンパルスが供給され、そのスキャンパルスに対応して前記アドレス電極にアドレスパルスが供給されたときには、前記第２の表示電極及び前記アドレス電極間の放電に伴って前記第２及び第３の表示電極間で放電が生じ、かつ前記第１及び第２の表示電極間では放電が生じないプラズマディスプレイ装置。
（付記２）
前記第１のアドレス期間の前に第１のリセット期間を有し、
前記第１のリセット期間では、前記第２の表示電極にリセット電圧が供給される付記１記載のプラズマディスプレイ装置。
（付記３）
１フレームは複数のサブフレームを有し、
各サブフレームは、前記第１のリセット期間、前記第１のアドレス期間、前記第１の復帰期間及び前記第２のアドレス期間を有し、
前記第１のリセット期間の前に消去期間を有し、
前記消去期間では、前記第１及び第２の表示電極間並びに前記第２及び第３の表示電極間に消去電圧が供給されることにより、前記第１及び第２の表示セルは前のサブフレームの前記第１及び第２のアドレス期間においてそれぞれ前記放電が生じたときのみ消去放電を行う付記２記載のプラズマディスプレイ装置。
（付記４）
前記第２のアドレス期間の後にサステイン期間を有し、
前記サステイン期間では、前記第１及び第２の表示電極間並びに前記第２及び第３の表示電極間にサステインパルスが供給され、
前記消去電圧は、前記サステインパルスよりもパルス幅が狭いパルス電圧である付記３記載のプラズマディスプレイ装置。
（付記５）
前記リセット電圧は、徐々に電圧が変化する電圧である付記４記載のプラズマディスプレイ装置。
（付記６）
前記消去電圧は、徐々に電圧が変化する電圧である付記３記載のプラズマディスプレイ装置。
（付記７）
１フレームは複数のサブフレームを有し、
各サブフレームは、前記第１のリセット期間、前記第１のアドレス期間、前記第１の復帰期間及び前記第２のアドレス期間を有し、
前記第１のリセット期間の前にリセット期間を有し、
前記リセット期間では、前記第１及び第２の表示電極間並びに前記第２及び第３の表示電極間に消去電圧が供給されることにより、前記第１及び第２の表示セルは前のサブフレームの前記第１及び第２のアドレス期間において前記放電が生じたか否かにかかわらずにリセット放電を行う付記２記載のプラズマディスプレイ装置。
（付記８）
前記第１の復帰期間の後かつ前記第２のアドレス期間の前に第２のリセット期間を有し、
前記第２のリセット期間では、前記第２の表示電極にリセット電圧が供給される付記２記載のプラズマディスプレイ装置。
（付記９）
前記第２のアドレス期間の後に第２の復帰期間を有し、
前記第２の復帰期間では、前記第２の表示電極及び前記アドレス電極間に復帰パルスが供給され、前記第２のアドレス期間において前記第２の表示電極及び前記アドレス電極間で放電が生じたときには、前記第２の表示電極及び前記アドレス電極間でそれとは逆方向の放電が生じる付記１記載のプラズマディスプレイ装置。
（付記１０）
第１及び第２の表示電極を含む第１の表示セルと、
前記第２の表示電極及び第３の表示電極を含む第２の表示セルと、
前記第２の表示電極との間で放電を行うためのアドレス電極とを有するプラズマディスプレイ装置の駆動方法であって、
第１のアドレス期間では、前記第２の表示電極にスキャンパルスが供給され、そのスキャンパルスに対応して前記アドレス電極にアドレスパルスが供給されたときには、前記第２の表示電極及び前記アドレス電極間の放電に伴って前記第１及び第２の表示電極間で放電が生じ、かつ前記第２及び第３の表示電極間では放電が生じない第１のアドレス期間ステップと、
前記第１のアドレス期間後の第１の復帰期間では、前記第２の表示電極及び前記アドレス電極間に復帰パルスが供給され、前記第１のアドレス期間において前記第２の表示電極及び前記アドレス電極間で放電が生じたときには、前記第２の表示電極及び前記アドレス電極間でそれとは逆方向の放電が生じる第１の復帰期間ステップと、
前記第１の復帰期間後の第２のアドレス期間では、前記第２の表示電極にスキャンパルスが供給され、そのスキャンパルスに対応して前記アドレス電極にアドレスパルスが供給されたときには、前記第２の表示電極及び前記アドレス電極間の放電に伴って前記第２及び第３の表示電極間で放電が生じ、かつ前記第１及び第２の表示電極間では放電が生じない第２のアドレス期間ステップと
を有するプラズマディスプレイ装置の駆動方法。
（付記１１）
前記第１のアドレス期間の前に第１のリセット期間を有し、
前記第１のリセット期間では、前記第２の表示電極にリセット電圧が供給される付記１０記載のプラズマディスプレイ装置の駆動方法。
（付記１２）
１フレームは複数のサブフレームを有し、
各サブフレームは、前記第１のリセット期間、前記第１のアドレス期間、前記第１の復帰期間及び前記第２のアドレス期間を有し、
前記第１のリセット期間の前に消去期間を有し、
前記消去期間では、前記第１及び第２の表示電極間並びに前記第２及び第３の表示電極間に消去電圧が供給されることにより、前記第１及び第２の表示セルは前のサブフレームの前記第１及び第２のアドレス期間においてそれぞれ前記放電が生じたときのみ消去放電を行う付記１１記載のプラズマディスプレイ装置の駆動方法。
（付記１３）
前記第２のアドレス期間の後にサステイン期間を有し、
前記サステイン期間では、前記第１及び第２の表示電極間並びに前記第２及び第３の表示電極間にサステインパルスが供給され、
前記消去電圧は、前記サステインパルスよりもパルス幅が狭いパルス電圧である付記１２記載のプラズマディスプレイ装置の駆動方法。
（付記１４）
前記リセット電圧は、徐々に電圧が変化する電圧である付記１３記載のプラズマディスプレイ装置の駆動方法。
（付記１５）
前記消去電圧は、徐々に電圧が変化する電圧である付記１２記載のプラズマディスプレイ装置の駆動方法。
（付記１６）
１フレームは複数のサブフレームを有し、
各サブフレームは、前記第１のリセット期間、前記第１のアドレス期間、前記第１の復帰期間及び前記第２のアドレス期間を有し、
前記第１のリセット期間の前にリセット期間を有し、
前記リセット期間では、前記第１及び第２の表示電極間並びに前記第２及び第３の表示電極間に消去電圧が供給されることにより、前記第１及び第２の表示セルは前のサブフレームの前記第１及び第２のアドレス期間において前記放電が生じたか否かにかかわらずにリセット放電を行う付記１１記載のプラズマディスプレイ装置の駆動方法。
（付記１７）
前記第１の復帰期間の後かつ前記第２のアドレス期間の前に第２のリセット期間を有し、
前記第２のリセット期間では、前記第２の表示電極にリセット電圧が供給される付記１１記載のプラズマディスプレイ装置の駆動方法。
（付記１８）
前記第２のアドレス期間の後に第２の復帰期間を有し、
前記第２の復帰期間では、前記第２の表示電極及び前記アドレス電極間に復帰パルスが供給され、前記第２のアドレス期間において前記第２の表示電極及び前記アドレス電極間で放電が生じたときには、前記第２の表示電極及び前記アドレス電極間でそれとは逆方向の放電が生じる付記１０記載のプラズマディスプレイ装置の駆動方法。
【図面の簡単な説明】
【００６６】
【図１】本発明の第１の実施形態によるプラズマディスプレイ装置の構成例を示す図である。
【図２】図２（Ａ）〜（Ｃ）は図１の表示セルの断面構成例を示す図である。
【図３】Ｘ電極及びＹ電極の構造例を示す図である。
【図４】画像のフレームの概略構成例を示す図である。
【図５】第１の実施形態によるプラズマディスプレイ装置の駆動波形例を示すタイミングチャートである。
【図６】サブフレーム内の各期間での放電の有無を示す図である。
【図７】全表示セルを消去放電させる消去期間を有するサブフレームを示す駆動波形例を示すタイミングチャートである。
【図８】本発明の第２の実施形態によるプラズマディスプレイ装置の駆動波形例を示すタイミングチャートである。
【符号の説明】
【００６７】
１６  プラズマディスプレイパネル
１７  Ｘ駆動回路
１８  Ｙ駆動回路
１９  アドレス駆動回路
２０  制御回路
１２１１  前面ガラス基板
１２１２  誘電体層
１２１３  ＭｇＯ保護膜
１２１４  背面ガラス基板
１２１５  誘電体層
１２１６  リブ
１２１７  放電空間
１２２１  光
【図１】
2006258924.tif 000003
【図２】
2006258924.tif 000004
【図３】
2006258924.tif 000005
【図４】
2006258924.tif 000006
【図５】
2006258924.tif 000007
【図６】
2006258924.tif 000008
【図７】
2006258924.tif 000009
【図８】
2006258924.tif 000010